(57)【要約】【課題】医師による生活習慣病患者の指導を支援すること。【解決手段】血液化学検査取得部１０４が血液化学検査結果を血液化学検査結果管理装置４０から取得し、診察結果入力部１０３が血液化学検査結果および医師の診察結果を患者ＤＢ１０１に格納し、変動情報表示部１０５が血液化学検査結果などの変動データを時系列表示し、療養計画書作成部１０７が患者ＤＢ１０１に格納された情報および医師が評価指導選択画面で選択した評価指導項目の情報を用いて療養計画書を作成する。【選択図】        図１
2005327218.tif 000002
【特許請求の範囲】
【請求項１】
医師による生活習慣病患者の指導を支援する生活習慣病指導支援装置であって、
血液化学検査結果を管理する血液化学検査結果管理装置からネットワークを介して生活習慣病患者の血液化学検査結果を取得する検査結果取得手段と、
前記検査結果取得手段により取得された血液化学検査結果に基づく医師の診察結果および該血液化学検査結果を記憶する患者情報記憶手段と、
前記患者情報記憶手段により記憶された血液化学検査結果を診察結果とともに表示する検査結果表示手段と、
前記検査結果表示手段により表示された血液化学検査結果および診察結果に基づいて医師が行う療養計画書の作成を支援する療養計画書作成支援手段と
を備えたことを特徴とする生活習慣病指導支援装置。
【請求項２】
前記検査結果取得手段は、一人の生活習慣病患者に対して複数時点の血液化学検査結果を血液化学検査結果管理装置から取得し、
前記患者情報記憶手段は、前記検査結果取得手段により一人の生活習慣病患者に対して取得された複数時点の血液化学検査結果および該生活習慣病患者の診察結果を記憶し、
前記検査結果表示手段は、前記患者情報記憶手段に記憶された複数時点の血液化学検査結果を視覚化して診察結果とともに表示し、
前記療養計画書作成支援手段は、前記検査結果表示手段により表示された診察結果および視覚化されて表示された血液化学検査結果に基づいて医師が行う療養計画書の作成を支援することを特徴とする請求項１に記載の生活習慣病指導支援装置。
【請求項３】
前記療養計画書作成支援手段は、生活習慣病患者に対する評価および指導のテンプレートを記憶したテンプレート記憶手段と、
前記テンプレート記憶手段に記憶された評価および指導のテンプレートを表示するテンプレート表示手段とを備え、
前記テンプレート表示手段により表示された評価および指導のテンプレートから医師が選択した評価項目および指導項目を含む療養計画書の作成を支援することを特徴とする請求項１または２に記載の生活習慣病指導支援装置。
【請求項４】
前記検査結果取得手段は、暗号化された血液化学検査結果を血液化学検査結果管理装置から受け取って復号し、
前記患者情報記憶手段は、前記検査結果取得手段により復号化された血液化学検査結果および診察結果が暗号化された暗号化患者情報を記憶し、
前記検査結果表示手段は、前記患者情報記憶手段により暗号化患者情報として記憶された診察結果および血液化学検査結果を復号して表示し、
診察結果および血液化学検査結果を暗号化して通信および記憶するセキュリティ対策処理の動作状況を表示するセキュリティ監視手段をさらに備えたことを特徴とする請求項１、２または３に記載の生活習慣病指導支援装置。
【請求項５】
前記療養計画書作成支援手段により作成された療養計画書に含まれる評価項目と指導項目との相関関係を解析し、所定値以上の相関関係がある場合には、該相関関係がある評価項目と指導項目とについての指導要領を提示する評価指導内容解析手段をさらに備えたことを特徴とする請求項１〜４のいずれか一つに記載の生活習慣病指導支援装置。
【請求項６】
医師による生活習慣病患者の指導を支援する生活習慣病指導支援プログラムであって、
血液化学検査結果を管理する血液化学検査結果管理装置からネットワークを介して生活習慣病患者の血液化学検査結果を取得する検査結果取得手順と、
前記検査結果取得手順により取得された血液化学検査結果に基づく医師の診察結果および該血液化学検査結果を患者データベースに格納する患者情報格納手順と、
前記患者情報格納手順により格納された血液化学検査結果を診察結果とともに表示する検査結果表示手順と、
前記検査結果表示手順により表示された血液化学検査結果および診察結果に基づいて医師が行う療養計画書の作成を支援する療養計画書作成支援手順と
をコンピュータに実行させることを特徴とする生活習慣病指導支援プログラム。
【請求項７】
医師による生活習慣病患者の指導を支援する生活習慣病指導支援方法であって、
血液化学検査結果を管理する血液化学検査結果管理装置からネットワークを介して生活習慣病患者の血液化学検査結果を取得する検査結果取得工程と、
前記検査結果取得工程により取得された血液化学検査結果に基づく医師の診察結果および該血液化学検査結果を患者データベースに格納する患者情報格納工程と、
前記患者情報格納工程により格納された血液化学検査結果を診察結果とともに表示する検査結果表示工程と、
前記検査結果表示工程により表示された血液化学検査結果および診察結果に基づいて医師が行う療養計画書の作成を支援する療養計画書作成支援工程と
を含んだことを特徴とする生活習慣病指導支援方法。
【発明の詳細な説明】
【技術分野】
【０００１】
この発明は、医師による生活習慣病患者の指導を支援する生活習慣病指導支援装置、生活習慣病指導支援プログラムおよび生活習慣病指導支援方法に関し、特に、医師が療養計画書を作成する負担を軽減するとともに、患者の個人情報の漏洩についての医師の不安を取り除くことができる生活習慣病指導支援装置、生活習慣病指導支援プログラムおよび生活習慣病指導支援方法に関するものである。
【背景技術】
【０００２】
近年、急速な高齢化が進む中で、疾病構造が変化し、癌、糖尿病等の生活習慣病が増加している。我が国における生活習慣是正の対象者は高血圧症3,500万人、糖尿病1,300万人、高脂血症や肥満症2,000万人と国民の半数以上となっている。
【０００３】
健康寿命の更なる延長、生活の質の向上を実現し、明るい高齢社会を築くためには、疾病の早期発見と治療に留まらず、積極的に健康を増進し、疾病を予防する「一次予防」に重点をおいた対策の推進が急務である。
【０００４】
平成１４年４月に行なわれた診療報酬改定では、一定の条件下にある病院において「生活習慣病指導管理料」の算定が行えるよう変更された。このような動きの中で、医師の生活習慣病指導をサポートする生活習慣改善支援システムや患者の健康状態を管理する健康改善支援システムが開発されている。
【０００５】
例えば、患者の日々の生活習慣を診察前に記録を行ってデータセンターへ送信し、データセンターへ送られたデータを見ながら医師が診断を行うシステムや、問診情報や健診結果に基づいて健康診断や生活習慣改善を支援するシステムが開発されている（特許文献１および２、非特許文献１および２参照。）。
【０００６】
【特許文献１】特開２００３−２７１７４３号公報
【特許文献２】特開２００３−２１６７３６号公報
【非特許文献１】「生活習慣改善支援システム」、［平成１６年１月１７日検索］、インターネット＜URL:http://www.omron.co.jp/press/2002/h0711.html＞
【非特許文献２】「HELSMEK」、［平成１６年１月１７日検索］、インターネット＜URL: http://www.ntt-it.co.jp/goods/hbj/HELSMEK/pro_index_j.html＞
【発明の開示】
【発明が解決しようとする課題】
【０００７】
しかしながら、従来の生活習慣改善支援システムでは、医師にとって手間のかかる作業の一つである療養計画書の作成を支援する機能が不十分であり、療養計画書を作成する医師の負担が依然として重いという問題があった。ここで、療養計画書とは、医師が診察結果に基づいて生活習慣病患者に対して作成する指導書である。
【０００８】
また、従来の生活習慣改善支援システムでは、患者の病状や内服薬などの個人情報についてのセキュリティ対策が明示されていないために、患者の個人情報漏洩について医師が不安を持つという問題もあった。
【０００９】
この発明は、上述した従来技術による問題点を解消するためになされたものであり、医師が療養計画書を作成する負担を軽減するとともに、患者の個人情報の漏洩についての医師の不安を取り除くことができる生活習慣病指導支援装置、生活習慣病指導支援プログラムおよび生活習慣病指導支援方法を提供することを目的とする。
【課題を解決するための手段】
【００１０】
上述した課題を解決し、目的を達成するため、請求項１に係る発明は、医師による生活習慣病患者の指導を支援する生活習慣病指導支援装置であって、血液化学検査結果を管理する血液化学検査結果管理装置からネットワークを介して生活習慣病患者の血液化学検査結果を取得する検査結果取得手段と、前記検査結果取得手段により取得された血液化学検査結果に基づく医師の診察結果および該血液化学検査結果を記憶する患者情報記憶手段と、前記患者情報記憶手段により記憶された血液化学検査結果を診察結果とともに表示する検査結果表示手段と、前記検査結果表示手段により表示された血液化学検査結果および診察結果に基づいて医師が行う療養計画書の作成を支援する療養計画書作成支援手段とを備えたことを特徴とする。
【００１１】
また、請求項２に係る発明は、上記発明において、前記検査結果取得手段は、一人の生活習慣病患者に対して複数時点の血液化学検査結果を血液化学検査結果管理装置から取得し、前記患者情報記憶手段は、前記検査結果取得手段により一人の生活習慣病患者に対して取得された複数時点の血液化学検査結果および該生活習慣病患者の診察結果を記憶し、前記検査結果表示手段は、前記患者情報記憶手段に記憶された複数時点の血液化学検査結果を視覚化して診察結果とともに表示し、前記療養計画書作成支援手段は、前記検査結果表示手段により表示された診察結果および視覚化されて表示された血液化学検査結果に基づいて医師が行う療養計画書の作成を支援することを特徴とする。
【００１２】
また、請求項３に係る発明は、上記発明において、前記療養計画書作成支援手段は、生活習慣病患者に対する評価および指導のテンプレートを記憶したテンプレート記憶手段と、前記テンプレート記憶手段に記憶された評価および指導のテンプレートを表示するテンプレート表示手段とを備え、前記テンプレート表示手段により表示された評価および指導のテンプレートから医師が選択した評価項目および指導項目を含む療養計画書の作成を支援することを特徴とする。
【００１３】
また、請求項４に係る発明は、上記発明において、前記検査結果取得手段は、暗号化された血液化学検査結果を血液化学検査結果管理装置から受け取って復号し、前記患者情報記憶手段は、前記検査結果取得手段により復号化された血液化学検査結果および診察結果が暗号化された暗号化患者情報を記憶し、前記検査結果表示手段は、前記患者情報記憶手段により暗号化患者情報として記憶された診察結果および血液化学検査結果を復号して表示し、診察結果および血液化学検査結果を暗号化して通信および記憶するセキュリティ対策処理の動作状況を表示するセキュリティ監視手段をさらに備えたことを特徴とする。
【００１４】
また、請求項５に係る発明は、上記発明において、前記療養計画書作成支援手段により作成された療養計画書に含まれる評価項目と指導項目との相関関係を解析し、所定値以上の相関関係がある場合には、該相関関係がある評価項目と指導項目とについての指導要領を提示する評価指導内容解析手段をさらに備えたことを特徴とする。
【００１５】
また、請求項６に係る発明は、医師による生活習慣病患者の指導を支援する生活習慣病指導支援プログラムであって、血液化学検査結果を管理する血液化学検査結果管理装置からネットワークを介して生活習慣病患者の血液化学検査結果を取得する検査結果取得手順と、前記検査結果取得手順により取得された血液化学検査結果に基づく医師の診察結果および該血液化学検査結果を患者データベースに格納する患者情報格納手順と、前記患者情報格納手順により格納された血液化学検査結果を診察結果とともに表示する検査結果表示手順と、前記検査結果表示手順により表示された血液化学検査結果および診察結果に基づいて医師が行う療養計画書の作成を支援する療養計画書作成支援手順とをコンピュータに実行させることを特徴とする。
【００１６】
また、請求項７に係る発明は、医師による生活習慣病患者の指導を支援する生活習慣病指導支援方法であって、血液化学検査結果を管理する血液化学検査結果管理装置からネットワークを介して生活習慣病患者の血液化学検査結果を取得する検査結果取得工程と、前記検査結果取得工程により取得された血液化学検査結果に基づく医師の診察結果および該血液化学検査結果を患者データベースに格納する患者情報格納工程と、前記患者情報格納工程により格納された血液化学検査結果を診察結果とともに表示する検査結果表示工程と、前記検査結果表示工程により表示された血液化学検査結果および診察結果に基づいて医師が行う療養計画書の作成を支援する療養計画書作成支援工程とを含んだことを特徴とする。
【発明の効果】
【００１７】
請求項１に係る発明によれば、血液化学検査結果を管理する血液化学検査結果管理装置からネットワークを介して生活習慣病患者の血液化学検査結果を取得し、取得した血液化学検査結果に基づく医師の診察結果および血液化学検査結果を記憶し、記憶した血液化学検査結果を診察結果とともに表示し、表示した血液化学検査結果および診察結果に基づいて医師が行う療養計画書の作成を支援するよう構成したので、医師が療養計画書を作成する負担を軽減することができるという効果を奏する。
【００１８】
また、請求項２に係る発明によれば、一人の生活習慣病患者に対して複数時点の血液化学検査結果を血液化学検査結果管理装置から取得し、取得した複数時点の血液化学検査結果および該生活習慣病患者の診察結果を記憶し、記憶した複数時点の血液化学検査結果を視覚化して診察結果とともに表示し、表示した診察結果および視覚化して表示した血液化学検査結果に基づいて医師が行う療養計画書の作成を支援するよう構成したので、医師が生活習慣病患者の症状の推移を容易に把握することができるという効果を奏する。
【００１９】
また、請求項３に係る発明によれば、生活習慣病患者に対する評価および指導のテンプレートを記憶し、記憶した評価および指導のテンプレートを表示し、表示した評価および指導のテンプレートから医師が選択した評価項目および指導項目を含む療養計画書の作成を支援するよう構成したので、医師は療養計画書の中の評価指導項目を簡単に記載することができるという効果を奏する。
【００２０】
また、請求項４に係る発明によれば、暗号化された血液化学検査結果を血液化学検査結果管理装置から受け取って復号し、復号化した血液化学検査結果および診察結果を暗号化した暗号化患者情報を記憶し、暗号化患者情報として記憶した診察結果および血液化学検査結果を復号して表示し、診察結果および血液化学検査結果を暗号化して通信および記憶するセキュリティ対策処理の動作状況を表示するよう構成したので、患者の個人情報が漏洩することを防止するとともに、その防止状況を監視して個人情報の漏洩についての医師の不安を取り除くことができるという効果を奏する。
【００２１】
また、請求項５に係る発明によれば、作成した療養計画書に含まれる評価項目と指導項目との相関関係を解析し、所定値以上の相関関係がある場合には、相関関係がある評価項目と指導項目とについての指導要領を提示するよう構成したので、新たな指導要領を自動抽出することができるという効果を奏する。
【００２２】
また、請求項６および７に係る発明によれば、血液化学検査結果を管理する血液化学検査結果管理装置からネットワークを介して生活習慣病患者の血液化学検査結果を取得し、取得した血液化学検査結果に基づく医師の診察結果および血液化学検査結果を患者データベースに格納し、格納した血液化学検査結果を診察結果とともに表示し、表示した血液化学検査結果および診察結果に基づいて医師が行う療養計画書の作成を支援するよう構成したので、医師が療養計画書を作成する負担を軽減することができるという効果を奏する。
【発明を実施するための最良の形態】
【００２３】
以下に添付図面を参照して、この発明に係る生活習慣病指導支援装置、生活習慣病指導支援プログラムおよび生活習慣病指導支援方法の好適な実施例を詳細に説明する。
【実施例】
【００２４】
まず、本実施例に係る生活習慣病指導支援システムのシステム構成について説明する。図１は、本実施例に係る生活習慣病指導支援システムのシステム構成を示す機能ブロック図である。
【００２５】
同図に示すように、この生活習慣病指導支援システムは、医師による生活習慣病患者の指導を支援する生活習慣病指導支援装置１００と、医師が生活習慣病指導支援装置１００の利用に用いるｎ台のクライアントＰＣ１０1〜１０nとがＬＡＮ２０を介して接続され、さらに、これらの装置が血液化学検査結果を管理する血液化学検査結果管理装置４０にＬＡＮ２０およびインターネット３０を介して接続されて構成される。なお、クライアントＰＣ１０1〜１０nはいずれも同様の機能を有するので、ここでは医師がクライアントＰＣ１０1を用いる場合を例にとって説明する。
【００２６】
生活習慣病指導支援装置１００は、患者ＤＢ１０１と、ＤＢ暗号部１０２と、診察結果入力部１０３と、血液化学検査結果取得部１０４と、変動情報表示部１０５と、評価指導テンプレート記憶部１０６と、療養計画書作成部１０７と、評価指導内容解析部１０８と、生活習慣病ＤＢ１０９と、生活習慣病情報提供部１１０と、認証部１１１と、セキュリティ監視部１１２と、暗号通信部１１３とを有する。
【００２７】
患者ＤＢ１０１は、患者についての情報を記憶したデータベースである。図２−１は、患者ＤＢ１０１に記憶される各患者についての情報を示す図である。同図に示すように、この患者ＤＢ１０１は、各患者について、患者情報２１０と、血液化学検査情報２２０と、診察情報２３０と、薬剤情報２４０と、評価指導内容２５０とを記憶する。
【００２８】
図２−２は、患者情報２１０として記憶される情報を示す図である。同図に示すように、患者情報２１０としては、氏名、患者ＩＤ、住所、電話番号、メイルアドレス、生年月日が記憶される。
【００２９】
図２−３は、血液化学検査情報２２０として記憶される血液化学検査結果を示す図である。同図に示すように、血液化学検査情報２２０としては、白血球、赤血球、Ｈｂ、Ｈｔ、ＧＯＴ、ＧＰＴ、ＬＤＨ、ＡＬＰ、ＣＰＫ、γＧＴＰ、Ｔ−Ｂｉｌ、Ｔ−ｃｈｏ、Ｔ−Ｇ、ＨＤＬ、ＢＵＮ、Ｃｒｅ、ＵＡ、Ｎｓ、Ｋ、Ｃｌ、Ｃａ、Ｂｓ、ＨｂＡ１ｃについての情報が記憶される。なお、血液化学検査情報２２０は、一人の患者について複数回分の血液化学検査結果が血液採取日とともに患者ＤＢ１０１に記憶される。
【００３０】
図２−４は、診察情報２３０として記憶される情報を示す図である。同図に示すように、診察情報２３０としては、病名、病歴・病状、体重・身長、血圧、食事、運動、酒・タバコ、自院検査データに関する情報が記憶される。
【００３１】
薬剤情報２４０は、患者が服用する薬剤の情報であり、評価指導内容２５０は、医師が血液化学検査情報２２０や診察情報２３０などに基づいて患者の生活習慣病を評価した結果、および患者に対する指導内容である。
【００３２】
ＤＢ暗号部１０２は、患者ＤＢ１０１に格納する情報を暗号化し、患者ＤＢ１０１から読み出す情報を復号する処理部である。すなわち、患者ＤＢ１０１の情報は、患者の個人情報であるため、暗号化されて記憶される。このＤＢ暗号部１０２が、患者ＤＢ１０１に格納する情報を暗号化することによって、患者の個人情報を保護することができる。
【００３３】
診察結果入力部１０３は、医師がクライアントＰＣ１０1から入力する診察結果を患者ＤＢ１０１に格納する処理部である。すなわち、この診察結果入力部１０３は、クライアントＰＣ１０1から受け取った診察結果をＤＢ暗号部１０２に渡し、ＤＢ暗号部１０２が診察結果を暗号化して患者ＤＢ１０１に格納する。
【００３４】
図３は、診察結果入力部１０３がクライアントＰＣ１０1に表示する診察結果入力画面の一例を示す図である。同図に示すように、医師は、この画面を用いて病名、病歴・病状、内服薬、体重・身長、血圧、食事、運動、酒・タバコ、自院検査データおよび外部検査データについての情報を入力する。そして、医師が「入力完了」ボタンを押すと、診察結果が診察結果入力部１０３に送信される。
【００３５】
なお、外部検査データは血液化学検査結果であり、診察結果入力画面の「血液検査データ取り込み」ボタンが押されると血液化学検査結果管理装置４０にデータ送信要求が送られ、データ送信要求に応答して血液化学検査結果管理装置４０から送られたデータが表示される。
【００３６】
また、医師は患者を指定して患者ＤＢ１０１に記憶された情報を診察結果入力画面に表示し、診察結果の追加、修正を行うことができ、血液化学検査情報２２０については、一人の患者に対して複数回分の血液化学検査結果を取り込むことができる。
【００３７】
血液化学検査結果取得部１０４は、血液化学検査結果管理装置４０に患者を指定して血液化学検査結果の送信をインターネット３０を介して要求し、要求に応答して血液化学検査結果管理装置４０から送られてくる血液化学検査結果を受け取る処理部である。
【００３８】
この血液化学検査結果取得部１０４は、図３に示した診察結果入力画面の「血液検査データ取り込み」ボタンが押されると血液化学検査結果管理装置４０にデータの送信を要求する。そして、血液化学検査結果管理装置４０から送られてくる血液化学検査結果を診察結果入力画面の外部検査データとしてクライアントＰＣ１０1に表示する。
【００３９】
この血液化学検査結果取得部１０４がインターネット３０を介して血液化学検査結果管理装置４０から血液化学検査結果を取得することによって、生活習慣病の診断にとって重要な情報である血液化学検査結果を容易に生活習慣病指導支援装置１００に取り込むことができる。
【００４０】
変動情報表示部１０５は、血液化学検査情報２２０や血圧など時間変動する情報の複数回分の値をクライアントＰＣ１０1にグラフ表示する処理部である。図４は、変動情報表示部１０５が表示する変動情報表示画面の一例を示す図である。同図に示すように、この変動情報表示画面には、血糖値、血圧、総コレステロール、中性脂肪、体重、摂取カロリー、ＧＯＴ、ＧＰＴの複数回分の値が検査結果グラフとして表示されている。
【００４１】
この変動情報表示部１０５が、時間変動する情報の複数回分の値をクライアントＰＣ１０1にグラフ表示することによって、医師による生活習慣病患者の診断を支援することができる。
【００４２】
評価指導テンプレート記憶部１０６は、療養計画書の中に評価指導項目として記載される項目のテンプレートを記憶した記憶部である。具体的には、この評価指導テンプレート記憶部１０６は、生活習慣病ごとの評価結果および患者に対する指導内容のテンプレートを記憶する。
【００４３】
図５は、評価指導テンプレート記憶部１０６に記憶されるテンプレートの表示画面の一例を示す図である。同図に示すように、この表示画面は、糖尿病、高脂血症および高血圧についての評価結果のテンプレート、ならびに、服薬、食事および運動についての指導内容のテンプレートを表示している。なお、このテンプレートの表示画面は、医師が療養計画書を作成する際に、テンプレートから評価結果および指導内容を選択する選択画面である。
【００４４】
療養計画書作成部１０７は、患者ＤＢ１０１に記憶された情報を用いて療養計画書を作成する処理部である。図６は、療養計画書作成部１０７が作成した療養計画書をクライアントＰＣ１０1に表示した画面の一例を示す図である。同図に示すように、この画面に表示された療養計画書は、患者の氏名および生年月日、病名、服薬指導、評価指導、担当医師の署名，患者の署名，患者の印鑑ならびに検査結果グラフから構成される。
【００４５】
このうち、評価指導については、療養計画書作成部１０７が、図５に示した選択画面を用いて医師に評価結果および指導内容を選択させ、医師によって選択された内容を療養計画書に記載する。
【００４６】
このように、この療養計画書作成部１０７が、患者ＤＢ１０１に記憶された情報および医師に選択画面を用いて選択させた情報を用いて療養計画書を作成することによって、医師が療養計画書を作成する負担を大幅に軽減することができる。
【００４７】
評価指導内容解析部１０８は、患者ＤＢ１０１に記憶された情報を解析して生活習慣病患者に対する新たな指導案を提示する処理部である。具体的には、この評価指導内容解析部１０８は、患者ＤＢ１０１に記憶された情報に基づいて、各疾病ごとに内服薬、血液化学検査結果の情報収集を行う。
【００４８】
そして、血液化学検査結果を基に分類を行い、分類された項目において、どのような内服薬が多いのかを分類する。また、分類された項目において、どのような指導事項が多いのかを分類する。
【００４９】
そして、分類された項目と指導事項との相関関係を調べ、一定値以上の相関関係がある場合には、同様の患者に対して指導事項が有効であると考えられるため、同様の患者に対する新しい指導案として提示する。
【００５０】
生活習慣病ＤＢ１０９は、生活習慣病に関連する情報を記憶したデータベースである。具体的には、この生活習慣病ＤＢ１０９は、生活習慣病に関連する情報をＷＥＢページの集まりとして記憶する。
【００５１】
図７は、生活習慣病ＤＢ１０９に記憶されるＷＥＢページを表示した画面の一例を示す図である。同図に示すように、この生活習慣病ＤＢ１０９は、ＦＡＱなどのＷＥＢページを記憶する。なお、この生活習慣病ＤＢ１０９に記憶される情報は、専門医によって提供される情報である。
【００５２】
生活習慣病情報提供部１１０は、インターネット３０を介して生活習慣病指導支援装置１００に情報提供を要求する患者などに対して、生活習慣病ＤＢ１０９に記憶された情報を提供する処理部である。
【００５３】
なお、ここでは、生活習慣病指導支援装置１００が生活習慣病ＤＢ１０９および生活習慣病情報提供部１１０を有する場合について説明したが、セキュリティ対策として、生活習慣病ＤＢ１０９および生活習慣病情報提供部１１０の機能を別の装置で実現することもできる。
【００５４】
認証部１１１は、生活習慣病指導支援装置１００の患者ＤＢ１０１にアクセスするクライアントＰＣ１０1を認証する処理部である。この認証部１１１は、ハードウェアキーを用いるＵＳＢ認証とＩＤとパスワードを用いるＷＥＢ認証とを行う。
【００５５】
セキュリティ監視部１１２は、ＤＢ暗号部１０２および暗号通信部１１３の暗号処理が正しく行われているか否かを監視し、監視結果をクライアントＰＣ１０1に表示する処理部である。具体的には、暗号処理が正しく動作している場合には、クライアントＰＣ１０1に青のシグナル表示を行い、暗号処理に異常を発見した場合には、赤のシグナル表意を行う。
【００５６】
このセキュリティ監視部１１２が、生活習慣病指導支援システムのセキュリティ対策の作動状況を監視し、監視結果をクライアントＰＣ１０1に表示することによって、生活習慣病指導支援システムに対する医師の信頼感を高めることができる。
【００５７】
暗号通信部１１３は、クライアントＰＣ１０1に患者の個人情報を送信する場合に情報を暗号化して送信し、血液化学検査結果管理装置４０またはクライアントＰＣ１０1から暗号化された情報を受信した場合に受信した情報を復号化する処理部である。
【００５８】
この暗号通信部１１３が患者の個人情報を暗号化して血液化学検査結果管理装置４０またはクライアントＰＣ１０1と通信することによって、患者の個人情報がネットワーク経由で漏洩することを防ぐことができる。
【００５９】
次に、本実施例に係る生活習慣病指導支援装置１００による療養計画書作成処理の処理手順について説明する。図８は、本実施例に係る生活習慣病指導支援装置１００による療養計画書作成処理の処理手順を示すフローチャートである。
【００６０】
同図に示すように、この生活習慣病指導支援装置１００は、クライアントＰＣ１０1からのアクセスに対して、認証部１１１がＵＳＢキー認証およびＷＥＢ認証を行う（ステップＳ８０１）。
【００６１】
そして、新規の患者の場合には、診察結果入力部１０３が患者情報２１０を受け付けて患者ＤＢ１０１に暗号化して格納するとともに（ステップＳ８０２）、診察結果入力画面を表示し、既に患者が患者ＤＢ１０１に登録されている場合には、患者の氏名と患者ＩＤを受け付けて患者の情報を患者ＤＢ１０１から読み出し、ＤＢ暗号化部１０２により復号化して診察結果入力画面に表示する。
【００６２】
そして、医師の入力した診察結果をクライアントＰＣ１０1によって受け付け（ステップＳ８０３）、医師が「血液検査データ取り込み」ボタンを押すと、血液化学検査取得部１０４が血液化学検査結果を血液化学検査結果管理装置４０から取得し（ステップＳ８０４）、診察結果入力画面に表示する。
【００６３】
そして、医師が診察結果入力画面の「入力終了」ボタンを押すと、クライアントＰＣ１０1から診察結果や血液化学検査結果を受け取り、暗号化して患者ＤＢ１０１に格納する（ステップＳ８０５）。なお、ステップＳ８０２〜ステップＳ８０５の処理は、任意の回数繰り返される。
【００６４】
また、医師がクライアントＰＣ１０1から変動情報の表示を指定した場合には、変動情報表示部１０５が患者ＤＢ１０１に記憶された情報を用いて変動情報画面をクライアントＰＣ１０1に表示し（ステップＳ８０６）、この画面上で医師が「評価指導事項選択画面へ」ボタンを押すと、療養計画書作成部１０７が評価指導選択画面を表示する（ステップＳ８０７）。
【００６５】
そして、評価指導選択画面で医師が選択した評価指導項目を変動情報画面に反映させ（ステップＳ８０８）、医師が終了を指定すると評価指導項目を暗号化して患者ＤＢ１０１に格納する（ステップＳ８０９）。
【００６６】
そして、医師がクライアントＰＣ１０1から療養計画書の作成を指定した場合には、療養計画書作成部１０７が患者ＤＢ１０１に記憶された情報を用いて療養計画書をクライアントＰＣ１０1に表示し（ステップＳ８１０）、この画面上で医師が印刷を指定すると、療養計画書を印刷する（ステップＳ８１１）。
【００６７】
このように、血液化学検査取得部１０４が血液化学検査結果を血液化学検査結果管理装置４０から取得し、療養計画書作成部１０７が血液化学検査結果や医師が評価指導選択画面で選択した評価指導項目などの情報を用いて療養計画書を作成することによって、医師が療養計画書を作成する負担を軽減することができる。
【００６８】
なお、ここでは、生活習慣病指導支援装置１００について説明したが、生活習慣病指導支援装置１００の有する機能をソフトウェアで実現することによって、生活習慣病指導支援プログラムを得ることができる。そして、ＬＡＮ２０に接続するコンピュータのハードディスクに生活習慣病指導支援プログラムをインストールし、コンピュータが備えるＣＰＵが生活習慣病指導支援プログラムをハードディスクからメモリに呼び出して実行することによって、コンピュータを生活習慣病指導支援装置として動作させることができる。
【００６９】
上述してきたように、本実施例では、血液化学検査取得部１０４が血液化学検査結果を血液化学検査結果管理装置４０から取得し、診察結果入力部１０３が血液化学検査結果および医師の診察結果を患者ＤＢ１０１に格納し、変動情報表示部１０５が血液化学検査結果などの変動データを時系列表示し、療養計画書作成部１０７が患者ＤＢ１０１に格納された情報および医師が評価指導選択画面で選択した評価指導項目の情報を用いて療養計画書を作成することとしたので、医師の生活習慣病患者の診察および療養計画書の作成を支援することができる。
【００７０】
また、本実施例では、生活習慣病指導支援装置１００と血液化学検査結果管理装置４０およびクライアントＰＣ１０1との間の通信および患者ＤＢ１０１を暗号化するとともに、患者の個人情報をクライアントＰＣ１０1に表示する場合に、個人情報が暗号化されて通信、管理されていることを表示することとしたので、個人情報について十分なセキュリティ対策が行われることを医師に知らせることができ、生活習慣病指導支援システムに対する医師の信頼感を高めることができる。
【産業上の利用可能性】
【００７１】
以上のように、本発明に係る生活習慣病指導支援装置、生活習慣病指導支援プログラムおよび生活習慣病指導支援方法は、生活習慣病患者を指導する医師を支援する生活習慣病指導支援システムに有用であり、特に、医師が療養計画書を作成する負担を軽減したい場合に適している。
【図面の簡単な説明】
【００７２】
【図１】本実施例に係る生活習慣病指導支援システムのシステム構成を示す機能ブロック図である。
【図２−１】患者ＤＢに記憶される各患者についての情報を示す図である。
【図２−２】患者情報として記憶される情報を示す図である。
【図２−３】血液化学検査情報として記憶される情報を示す図である。
【図２−４】診察情報として記憶される情報を示す図である。
【図３】診察結果入力部がクライアントＰＣに表示する診察結果入力画面の一例を示す図である。
【図４】変動情報表示部が表示する変動情報表示画面の一例を示す図である。
【図５】評価指導テンプレート記憶部に記憶されるテンプレートの表示画面の一例を示す図である。
【図６】療養計画書作成部が作成した療養計画書をクライアントＰＣに表示した画面の一例を示す図である。
【図７】生活習慣病ＤＢに記憶されるＷＥＢページを表示した画面の一例を示す図である。
【図８】本実施例に係る生活習慣病指導支援装置による療養計画書作成処理の処理手順を示すフローチャートである。
【符号の説明】
【００７３】
１０1〜１０n    クライアントＰＣ
２０    ＬＡＮ
３０    インターネット
４０    血液化学検査結果管理装置
１００    生活習慣病指導支援装置
１０１    患者ＤＢ
１０２    ＤＢ暗号化部
１０３    診察結果入力部
１０４    血液化学検査結果取得部
１０５    変動情報表示部
１０６    評価指導テンプレート記憶部
１０７    療養計画書作成部
１０８    評価指導内容解析部
１０９    生活習慣病ＤＢ
１１０    生活習慣病情報提供部
１１１    認証部
１１２    セキュリティ監視部
１１３    暗号通信部
２１０    患者情報
２２０    血液化学検査情報
２３０    診察情報
２４０    薬剤情報
２５０    評価指導内容
【図１】
2005327218.tif 000003
【図２−１】
2005327218.tif 000004
【図２−２】
2005327218.tif 000005
【図２−３】
2005327218.tif 000006
【図２−４】
2005327218.tif 000007
【図３】
2005327218.tif 000008
【図４】
2005327218.tif 000009
【図５】
2005327218.tif 000010
【図６】
2005327218.tif 000011
【図７】
2005327218.tif 000012
【図８】
2005327218.tif 000013